(57)【要約】      （修正有）【課題】物品を風呂敷の表面と裏面の両面で包装することができ、又、物品の形状に応じて包装することができ、更に、一旦物品を包装した後に他の物品を包装することができる袋状風呂敷を提供する。【解決手段】布帛を２枚重ねにして袋状となした袋状風呂敷１であって、袋状風呂敷１の対角線上の２隅に把手用溝部７が、そして、袋状風呂敷１の対角線と交差する他の対角線上の中央部に物品の出し入れ用口部４が設けられている。【選択図】図１
2009001312.tif 000002
【特許請求の範囲】
【請求項１】
布帛を２枚重ねにして袋状となした袋状風呂敷であって、
前記袋状風呂敷の対角線上の２隅に把手用溝部が、そして、前記袋状風呂敷の前記対角線と交差する他の対角線上の中央部に物品の出し入れ用口部が設けられていることを特徴とする袋状風呂敷。
【請求項２】
前記把手用溝部の対角線上の中央部側に少なくとも一個のボタンを裏布帛に設けたことを特徴とする請求項１に記載の袋状風呂敷。
【請求項３】
前記把手用溝部の下端側に少なくとも一箇所の開口する開口部が設けられていることを特徴とする請求項１又は２に記載の袋状風呂敷。
【請求項４】
前記開口部の少なくとも一方に袋状ポケットを設けたことを特徴とする請求項１乃至３の何れか一項に記載の袋状風呂敷。
【請求項５】
前記出し入れ用口部が締結具により開閉可能に形成されていることを特徴とする請求項１乃至４の何れか一項に記載の袋状風呂敷。
【請求項６】
前記物品の出し入れ用口部の長さが対角線全長の約６割程度の長さであることを特徴とする請求項１乃至５の何れか一項に記載の袋状風呂敷。
【請求項７】
前記出し入れ用口部の対角線上の２隅に更に把手用溝部を設けたことを特徴とする請求項１乃至６の何れか一項に記載の袋状風呂敷。
【発明の詳細な説明】
【技術分野】
【０００１】
本発明は、略正方形上の布帛を２枚重ねにして袋状となした袋状風呂敷に関し、詳細には物品を包む風呂敷としての機能及び物品を入れる袋としての機能を備える袋状風呂敷に関する。
【背景技術】
【０００２】
近年、原油の値上がりに伴い、スーパーのポリ袋の有料化が一部のスーパーで始まり、そのポリ袋に代えてエコバッグ（マイバッグ）の利用を始める消費者が増えつつある。しかし、このエコバッグはポリ袋の代替用として購入した物品を入れる袋としての機能だけを利用したものである。
ところで、日本ではエコバッグともいえる、物品等を包む機能を利用した風呂敷が利用されている。この従来の風呂敷は物品を包む機能だけを利用しているため、対角箇所の端部を相互に結びつないで把手を形成する必要があり、また、端部を結ぶために物品の大きさに制限があり、更に、端部を結んだ後に物品が落下しないように上手く結ぶ必要がある。そのために、短時間に簡単に利用できるものを望む今日の消費者のニーズを十分に満たしていない。
【０００３】
それを解消するために、風呂敷本体の一方対角線上の両隅角箇所に、同対角線に直交した長い手指挿入用長孔が切設され、他方対角線上の両隅角箇所の一方の内面に無数の鉤状微小突起を有する三角形小片を同じく他方の隅角個所及び同対角線上個所の外面に無数の輪状微小突起を有する帯片が止着されており、前記鉤状微小突起及び輪状微小突起を用いて物品を風呂敷に支持して、前記両手指挿入用長孔で把持する風呂敷が知られている。（特許文献１参照）。
【０００４】
上記風呂敷を含めて従来の風呂敷は、物品を包む機能を利用して物品を包装するのが主目的であったが、風呂敷の一つの対角線によってできる二つの三角形部分をポケットとなるように取り付けることにより、物品を該ポケットに入れて包むようにしたポケット形の風呂敷が知られている（特許文献２参照）。
【０００５】
【特許文献１】実開昭６０−４７２４６号公報
【特許文献２】特開平１０−１７５６６１号公報
【発明の開示】
【発明が解決しようとする課題】
【０００６】
前記両手指挿入用長孔で把持する風呂敷は、他方対角線上の両隅角箇所の一方の内面に感圧接着剤を塗布すると共に、他方隅角個所の外面に名札入れ用袋部が設けられているために、風呂敷の物品を包む面が前記外面でしか包めないために、内面と外面の両面を利用できない構造となっている。又、長尺な物品を包む場合に、長い手指挿入用長孔が切設された一方対角線上の両隅角箇所に物品を置いて前記感圧接着剤を用いて物品を風呂敷に支持できても、前記両手指挿入用長孔で把持することができないので、物品の形状に対応して包むことができない問題がある。更に、一旦物品を包装した後に他の物品を包装したい場合に、再度包装し直さなければならないという煩わしさがある。
【０００７】
前記ポケット形の風呂敷は、ポケットの口から挿入した物品を落下さないために、ポケットの口が設けられた面を包まなければならないために、風呂敷の表面と裏面の両面を利用できない構造となっている。又、缶ジュース等の小さな物品を包装した場合、ポケットの口から落下する恐れがあり、物品の形状に対応して包むことができない問題がある。このポケット形の風呂敷も上記風呂敷と同様に一旦物品を包装した後に他の物品を包装したい場合に、再度包装し直さなければならないという煩わしさがある。
【０００８】
そこで、上記問題に鑑みて、本発明は、物品を風呂敷の表面と裏面の両面で包装することができ、又、物品の形状に応じて包装することができ、更に、一旦物品を包装した後に他の物品を包装することができる袋状風呂敷を提供することを目的とする。
【課題を解決するための手段】
【０００９】
前記課題を解決するために、請求項１に係る発明の袋状風呂敷は、布帛を２枚重ねにして袋状となした袋状風呂敷であって、前記袋状風呂敷の対角線上の２隅に把手用溝部が、そして、前記袋状風呂敷の前記対角線と交差する他の対角線上の中央部に物品の出し入れ用口部が設けられていることを特徴とする。
同様に、請求項２に係る発明の袋状風呂敷は、前記把手用溝部の対角線上の中央部側に少なくとも一個のボタンを裏布帛に設けたことを特徴とする。
請求項３に係る発明の袋状風呂敷は、前記把手用溝部の下端側に少なくとも一箇所の開口する開口部が設けられていることを特徴とする。
請求項４に係る発明の袋状風呂敷は、前記開口部の少なくとも一方に袋状ポケットを設けたことを特徴とする。
請求項５に係る発明の袋状風呂敷は、前記出し入れ用口部が締結具により開閉可能に形成されていることを特徴とする。
請求項６に係る発明の袋状風呂敷は、前記物品の出し入れ用口部の長さが対角線全長の約６割程度の長さであることを特徴とする。
請求項７に係る発明の袋状風呂敷は、前記出し入れ用口部の対角線上の２隅に更に把手用溝部を設けたことを特徴とする。
【発明の効果】
【００１０】
本発明の袋状風呂敷は、布帛を２枚重ねにした袋状であり、且つ対角線上の中央部に物品の出し入れ用口部が備えられているので、物品を包む風呂敷としての機能と従来の風呂敷にない袋としての入れる機能の両方の機能を有している。
また、本発明の袋状風呂敷は、その対角線上の２隅に把手用溝部が設けられているので、容易に物品を把持して搬送することができる。
そして、本発明の袋状風呂敷は、物品を袋状風呂敷の表側面と裏側面の両面で包装することができ、又、物品の形状に応じて収納することができる。
更に、本発明の袋状風呂敷は、裏布帛に一個のボタンが設けられているので、簡単に把持部を形成することができ、そして、把手用溝部の下端側に少なくとも一箇所の開口する開口部が設けられているので、一旦物品を包装した後に他の物品を容易に入れることができる。
また、該開口部の少なくとも一方に袋状ポケットを設けることにより、容易に物品の出し入れができ、利便性に優れたものである。
【発明を実施するための最良の形態】
【００１１】
以下、本発明の袋状風呂敷の第１実施形態を添付図面に基づいて説明する。
図１は第１実施形態の袋状風呂敷を物品の出し入れ用口部側から見た平面図である。袋状風呂敷１は形状が略正方形状であり、表布帛２と裏布帛３の２枚の布帛を合わせて袋状にするか、又は、長方形状の１枚の布帛を折り返して略正方形状の袋状とする。なお、前記物品の出し入れ用口部のある方を表布帛２という。袋状風呂敷の４隅（又は３隅）は解れないように折り曲げて縫製するか又は縁取りを行い縫製する。物品の出し入れ用口部４は、前記袋状風呂敷１の片面の対角線上中央部に、挿入する一般的な物品の大きさに対応して、対角線全長の約６割程度の長さにしてある。
【００１２】
部品の出し入れ用口部４は、締結具５を取付けることにより開閉自在になり、物品の飛び出しを防止できる。締結具５としては、スライドによる開閉式のファスナーと剥離と圧着によるマジックファスナー（登録商標）等の各種の締結具を使用することができる。
そして、前記袋状風呂敷１の出し入れ用口部４に交差する他の対角線上に三角形状の把手用溝部７が設けられている。把手用溝部７の形状は三角形状に限定されるものではなく、例えば、楕円形状、長方形状等であってもよく、把持する指が挿入できる大きさのものであればよい。
【００１３】
前記把手用溝部７の下端側には、図1に示すように小物を入れるための開口部８が設けられている。把手用溝部７の上端側は解れないように縫製しておいたほうが良い。他方の把手用溝部７の下端側にも当然開口部８が設けられている。
【００１４】
図２は図１の隅部６の破断拡大図である。
上記したように把手用溝部７の形状は、三角形状、楕円形状等のものから任意に選定でき、その孔の大きさは把持する指が挿入できる大きさのものであればよい。前記表布帛２と裏布帛３の２枚の布帛の間には、物品を収納する収納空間部９が形成されているので、かなりの体積を有する物品であっても収納することができる。
【００１５】
図２Ａに示すように、把手用溝部７の下端側に開口する開口部８に袋状ポケット８′が設けられている。大きな物品を包装した後に、鍵、財布等の小物を袋状風呂敷の中に入れたい場合に、袋状ポケット８′に小物が収まるので出し入れが自由に行えるもので、特に、衣服のポケットが少ない女性には便利である。
【００１６】
図２Ｂに示すように、前記楕円形状の開口部８に袋状ポケット８′は設けられていない。一方の開口部８に袋状ポケット８′を設け、他方の開口部８には袋状ポケット８′を設けても良いし、設けなくとも良い。少なくとも一方の開口部８に袋状ポケット８′を設ければ良い。例えば、一方の開口部８に袋状ポケット８′が設けられていなければ、長方形状の物品を開口部８から挿入して搬送することができ、しかも他方の袋状ポケット８′に小物を入れることができる。
【００１７】
図３は第1実施形態の袋状風呂敷の使用方法を説明する説明図である。
図３Ａは、部品の出し入れ口部４から物品を収納する収納空間部９へ正方形状の菓子箱、缶ジュース、パックジュース等の物品１０を入れている状態を示したもので、収納し終わったら締結具５を閉じる。
図３Ｂは、部品の出し入れ口部４から物品を収納する収納空間部９へ贈答用品等の長方形状の物品１０を入れている状態を示したもので、収納する際には、物品１０の幅の狭い方から挿入した後、両方の把手用溝部７で把持ができるか確認して、把持ができない場合には物品１０を把手用溝部７の方向に回転移動させてから締結具５を閉じる。
【００１８】
図３Ｃは、図３Ａで示した正方形状の菓子箱等の物品１０を収納した場合、袋状風呂敷の使用方法を説明する図である。収納された形状が略正方形状である場合には、把手用溝部７のない両端部を蝶結び等で締結して、把手用溝部７の両端部を揃えて溝部に手を挿入し、把持すれば良い。
上記図３Ｂで示した贈答用品等の長方形状の物品１０を収納した場合、把手用溝部７のない両端部を締結できないので、締結しない状態で把手用溝部７の両端部を揃えて溝部に手を挿入し、把持すれば良い。
【００１９】
図３Ｄは、図３Ｃで示した袋状風呂敷の他の使用方法を説明する図である。図３Ｃで示した袋状風呂敷の使用方法は、把手用溝部７のない両端部を蝶結び等で締結して、把手用溝部７の両端部を揃えて溝部に手を挿入するものであったが、他の方法として、把手用溝部７の両端部を把持用として用いずに、把手用溝部７のない両端部を手で把持できる空間部を形成して、その空間部で把持するようにしたものである。
【００２０】
なお、上記した例では、出し入れ口部４側に締結された蝶結び等及び把手用溝部７が位置する例を示したが、図３Ｅに示すように、出し入れ口部４の反対側に蝶結び等及び把手用溝部７が位置するように、袋状風呂敷１を使用しても良い。この場合には、蝶結び等を解かずに締結具５を開いて物品１０を挿入することができる。
図３Ｆは、図２Ａで示した、把手用溝部７の下端側に開口する開口部８に袋状ポケット８′が設けられている場合の使用方法を示した図である。
大きな物品１０を収納した後に、鍵、財布等の小物を袋状風呂敷１の中に入れたい場合に、袋状ポケット８′に小物が収まるので出し入れが自由に行える。
【００２１】
本発明の袋状風呂敷の第２実施形態について添付図面に基づいて説明する。
図４は第２実施形態の物品の出し入れ用口部側から見た平面図である。第１実施形態の構造との相違点は、前記略正方形の袋状風呂敷１の４隅に把手用溝部７を設けことが相違するだけで、他の構造は同じものである。
【００２２】
前記４隅の把手用溝部７の形状は、上記した様に三角形状、楕円形状等のものから任意に選定でき、その孔の大きさは把持する指が挿入できる大きさのものであればよい。そして、把手用溝部７の下端側で、少なくとも４隅の把手用溝部７の一箇所には、小物を入れるための開口部８が設けられており、その把手用溝部７の下端側に開口する開口部８に袋状ポケット８′を設けても良いし設けなくとも良い。
【００２３】
図５は第２実施形態の袋状風呂敷の使用方法を説明する説明図である。
図５Ａは、図３Ａで示した正方形状の菓子箱等の物品１０を収納した場合、袋状風呂敷の使用方法を説明する図である。収納された形状が略正方形状である場合には、４隅にある把手用溝部７の各端部を揃えて溝部に手を挿入し、把持すれば良い。
上記図３Ｂで示した贈答用品等の長方形状の物品１０を収納した場合、何れか一方の把手用溝部７の両端部を揃えて溝部に手を挿入し、把持すれば良い。
【００２４】
上記した例では、出し入れ口部４側に締結された蝶結び等及び把手用溝部７が位置する例を示したが、図５Ｂに示すように、出し入れ口部４の反対側に把手用溝部７が位置するように、袋状風呂敷１を使用しても良い。
【００２５】
図６は第３実施形態の表布帛及び裏布帛の平面図である。
図６Ａは第３実施形態の表布帛から見た平面図であり、図６Ｂは第３実施形態の裏布帛から見た平面図である。
第３実施形態と第１実施形態との構造の相違点は、前記略正方形の袋状風呂敷１の２隅の対角線上に、直線状の把手用溝部７を設けること、そして、裏布帛３の把手用溝部７の対角線上の中央部側に少なくとも一個のボタンを設けたことが相違するだけで、他の構造は同じものである。
【００２６】
第３実施形態の袋状風呂敷の使用方法は、物品１０を物品の出し入れ口部４から入れて締結具５を閉じて、前記出し入れ口部４の対角線上の両端を蝶結び等にして、他の両端を持ち上げて一方の把手用溝部７の溝にボタン２０を通して更に持ち上げれば、把手部が形成される。
なお、第１及び２実施形態でも同様にボタンを裏布帛３に設けることにより、把手用溝部７の溝にボタン２０を通して更に持ち上げれば、把手部が形成されることは同じである。
【００２７】
このように、第１、第２及び第３の実施形態の袋状風呂敷は、布帛を２枚重ねにした袋状であり、且つ対角線上の中央部に物品の出し入れ用口部が備えられているので、物品を包む風呂敷としての機能と従来の風呂敷にない袋としての入れる機能の両方の機能を有しており、また、本発明の袋状風呂敷は、その対角線上の２隅に把手用溝部が設けられているので、容易に把持して搬送することができる。
【００２８】
第１、第２及び第３の実施形態の袋状風呂敷は、物品を袋状風呂敷の表側面と裏側面の両面で包装することができ、又、物品の形状に応じて収納することができ、更に、裏布帛に一個のボタンが設けられているので、簡単に把持部を形成することができ、そして、把手用溝部の下端側に少なくとも一箇所の開口する開口部が設けられているので、一旦物品を包装した後に他の物品を容易に入れることができる。また、該開口部の少なくとも一方に袋状ポケットを設けることにより、容易に物品の出し入れができ、利便性に優れたものである。
【図面の簡単な説明】
【００２９】
【図１】第１実施形態の袋状風呂敷を物品の出し入れ用口部側から見た平面図である。
【図２】図１の隅部の破断拡大図である。
【図３】第１実施形態の袋状風呂敷の使用方法を説明する説明図である。
【図４】第２実施形態の物品の出し入れ用口部側から見た平面図である。
【図５】第２実施形態の袋状風呂敷の使用方法を説明する説明図である。
【図６】第３実施形態の表布帛及び裏布帛の平面図である。
【符号の説明】
【００３０】
１  袋状風呂敷
２  表布帛
３  裏布帛
４  出し入れ用口部
５  締結具
６  隅部
７  把手用溝部
８  開口部
８′袋状ポケット
９  収納空間部
１０  物品
２０  ボタン                 
【図１】
2009001312.tif 000003
【図２】
2009001312.tif 000004
【図３】
2009001312.tif 000005
【図４】
2009001312.tif 000006
【図５】
2009001312.tif 000007
【図６】
2009001312.tif 000008